【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
設定された受信チャンネルの復号された映像信号から少なくとも１フレームの映像信号を格納する映像信号メモリ部と、
該映像信号メモリへの映像信号の書き込みおよび読み出しを制御するメモリ制御部と、
前記設定された受信チャンネルの復号された映像信号と、前記映像信号メモリ部から読み出された映像信号を切り替えて出力する映像信号切替部と、
デジタル放送番組の受信が選択されていない場合に、受信チャンネルを順次設定して、その映像信号を前記映像信号メモリ部に格納し、デジタル放送番組の受信チャンネルを検索する場合に、前記メモリ制御部に格納された映像信号を順次読み出して番組検索用画面を表示するように前記映像信号切替部と前記メモリ制御部を制御する受信装置制御部と
を有することを特徴とするデジタル放送受信装置。
【請求項２】
前記受信装置制御部は、前記デジタル放送番組の受信が選択されていない場合に、少なくとも１つの伝送チャンネル中の複数の受信チャンネルから所定の受信チャンネルを設定し、設定された受信チャンネルの映像信号を映像信号メモリ部に格納したら、順次次の受信チャンネルを設定する処理を繰り返す
ことを特徴とする請求項１に記載のデジタル放送受信装置。
【請求項３】
前記受信装置制御部は、前記デジタル放送番組の受信が選択されていない場合に、複数の伝送チャンネル中の複数の受信チャンネルから順次受信チャンネルを設定し、１つの伝送チャンネル中の複数の受信チャンネルの映像信号が全て映像信号メモリ部に格納されたら、順次次の伝送チャンネルを設定する処理を繰り返す
ことを特徴とする請求項２に記載のデジタル放送受信装置。
【請求項４】
前記次の伝送チャンネルを設定する処理のため、次の受信チャンネルを設定する処理を繰り返す限定期間を計時するタイマを備える
ことを特徴とする請求項３に記載のデジタル放送受信装置。
【請求項５】
前記メモリ制御部、前記受信装置制御部、および、前記映像信号切替部は、映像信号メモリ部に格納された映像信号を読み出す際に、所定数分の各映像信号の表示寸法を縮小してから１画面内に配置されるように合成し、複数の映像信号が表示されるマルチ画面の映像信号を生成して出力する
ことを特徴とする請求項１〜４の何れかに記載のデジタル放送受信装置。
【請求項６】
複数方式の放送受信回路を有する場合、
前記映像信号メモリ部、前記メモリ制御部、前記映像信号切替部、および、前記受信装置制御部が、少なくとも１つのデジタル放送方式の放送受信回路内に設けられ、
前記受信装置制御部は、自放送方式以外の放送番組が選択された場合に、自放送方式の受信チャンネル毎に前記映像信号を映像信号メモリ部に格納する
ことを特徴とする請求項１〜５の何れかに記載のデジタル放送受信装置。
【請求項７】
デジタル放送の復号された映像信号から少なくとも１フレームの映像信号を映像信号メモリ部に格納し、復号された映像信号と前記映像信号メモリ部から読み出された映像信号を切り替えて出力できるデジタル放送受信装置の受信方法であって、
（Ａ）デジタル放送の受信が選択されていない場合に、伝送チャンネル中の複数の受信チャンネルの映像信号を復号し、各受信チャンネルの少なくとも１フレームの映像信号を映像信号メモリ部に格納するステップと、
（Ｂ）ステップ（Ａ）の処理後、デジタル放送の受信が選択されて伝送チャンネルから受信チャンネルを検索する場合、前記映像信号メモリ部から読み出した映像信号を出力して検索するステップ
を有することを特徴とするデジタル放送受信装置の受信方法。
【請求項８】
前記ステップ（Ａ）は、さらに、
（Ａ１）デジタル放送の受信が選択されていない場合に、伝送チャンネルを初期設定値にリセットするステップと
（Ａ２）トランスポート・ストリームを復号してプログラム仕様情報を取得するステップと、
（Ａ３）受信チャンネルを初期設定値にリセットするステップと、
（Ａ４）その受信チャンネルの映像信号を復号し、少なくとも１フレームの映像信号を映像信号メモリ部に格納するステップと、
（Ａ５）受信チャンネルが最大または最小ではない場合に、受信チャンネル番号を１増加または減少させてステップ（Ａ４）の処理を繰り返すステップと、
（Ａ６）受信チャンネルが最大または最小である場合に、受信チャンネルを最小または最大の番号にリセットするステップと、
（Ａ７）伝送チャンネル番号が最大または最小ではない場合に、伝送チャンネル番号を１増加または減少させてステップ（Ａ２）以降の処理を繰り返すステップと、
（Ａ８）伝送チャンネル番号が最大または最小である場合に、伝送チャンネル番号を最小または最大にリセットしてステップ（Ａ２）以降の処理を繰り返すステップ
を有することを特徴とする請求項７に記載のデジタル放送受信装置の受信方法。
【請求項９】
前記ステップ（Ｂ）は、さらに、
（Ｂ１）受信チャンネルを検索するか、あるいは、直接に受信チャンネルを設定するかを判断するステップと、
（Ｂ２）指定された受信チャンネルの映像信号を映像信号メモリ部から読み出して画面表示させるステップと、
（Ｂ３）次の受信チャンネルの映像信号を画面表示させる場合に、受信チャンネル番号を１増加させた映像信号を映像信号メモリ部から読み出して画面表示させる処理を繰り返すステップと、
（Ｂ４）次の受信チャンネルの映像信号を画面表示させない場合に、現在画面表示されている映像の受信チャンネル番号に基づいて、受信チャンネルを設定して表示出力するステップ
を有することを特徴とする請求項７に記載のデジタル放送受信装置の受信方法。
【請求項１０】
デジタル放送受信装置が、映像信号メモリ部から読み出した各受信チャンネルの映像信号をマルチ画面表示できる場合、
前記ステップ（Ｂ１）の後に、
（Ｂ５）１画面表示で検索するかマルチ画面表示で検索するかを判断するステップと、
（Ｂ６）マルチ画面表示で検索する場合、指定されたマルチ画面の受信チャンネルの映像信号を映像信号メモリ部から読み出して画面表示させるステップと、
（Ｂ７）次のマルチ画面を画面表示させる場合に、マルチ画面の番号を１増加させ、そのマルチ画面に表示される受信チャンネルの映像信号を映像信号メモリ部から読み出して画面表示させる処理を繰り返すステップと、
（Ｂ８）次のマルチ画面を画面表示させない場合に、現在画面表示されているマルチ画面から選択された映像の受信チャンネル番号に基づいて、受信チャンネルを設定して表示出力するステップ
を有することを特徴とする請求項７に記載のデジタル放送受信装置の受信方法。
【請求項１１】
デジタル放送受信装置に、次の伝送チャンネルを設定する処理用に受信チャンネルを順次設定する期間を計時するタイマを備える場合、
（Ａ９）ステップ（Ａ１）の後に、タイマによる計時を開始するステップと、
（Ａ１０）ステップ（Ａ７）の処理時に、タイマによる計時がタイムアウトしていない場合にステップ（Ａ８）に進み、タイムアウトした場合にはステップ（Ａ４）の処理を繰り返すステップ
を有し、
ステップ（Ａ５）の処理において、チャンネル番号を１増加または減少させた後にステップ（Ａ４）の処理に進まず、ステップ（Ａ１０）の処理に進む
ことを特徴とする請求項７に記載のデジタル放送受信装置の受信方法。
【請求項１２】
ステップ（Ａ）のデジタル放送の受信が選択されていない場合は、
デジタル放送受信装置において、
受信信号を復号して映像信号メモリ部に格納する処理に関係しない部分がスタンバイ状態または通電されていない場合、他の方式の放送が受信されている場合、および、受信信号を復号して映像信号メモリ部に格納する処理に関係しない部分を利用して調整処理が実施される場合
を含むことを特徴とする請求項７〜１１の何れかに記載のデジタル放送受信装置の受信方法。
【手続補正２】
【補正対象書類名】明細書
【補正対象項目名】０００９
【補正方法】変更
【補正の内容】
【０００９】
【課題を解決するための手段】
上述した目的を達成するため、本発明に係るデジタル放送受信装置は、設定された受信チャンネルの復号された映像信号から少なくとも１フレームの映像信号を格納する映像信号メモリ部と、該映像信号メモリへの映像信号の書き込みおよび読み出しを制御するメモリ制御部と、設定された受信チャンネルの復号された映像信号と映像信号メモリ部から読み出された映像信号を切り替えて出力する映像信号切替部と、デジタル放送番組の受信が選択されていない場合に、受信チャンネルを順次設定して、その映像信号を前記映像信号メモリ部に格納し、デジタル放送番組の受信チャンネルを検索する場合に、メモリ制御部に格納された映像信号を順次読み出して番組検索用画面を表示するように映像信号切替部とメモリ制御部を制御する受信装置制御部とを有している。